(57)【要約】【課題】ＩＣメモリカードの交換作業を簡単に行なうことができ、機器本体の小型化が可能な電子機器を提供する。【解決手段】カメラ本体１２に設けられたバッテリ装着部５４のバッテリカバー４２の内側にＩＣメモリカード４４を装着するカード装着部４６を設ける。これにより、カメラ本体１２から離れた位置でバッテリカバー４２の交換作業を行うことができ、交換作業が簡単になる。また、カメラ本体１２側にカード装着部を設置する必要がなくなり、カメラ本体１２の小型化を図ることができる。【選択図】    図３
2004297421.tif 000002
【特許請求の範囲】
【請求項１】
機器本体に設けられたカード装着部にＩＣメモリカードを装着し、該ＩＣメモリカードにアクセスしてデータの読み出し又は書き込みを行なう電子機器において、
前記カード装着部が前記機器本体に開閉自在に設けられたカバーに設けられていることを特徴とする電子機器。
【請求項２】
前記カバーは、前記機器本体に設けられたバッテリ装着部、又は、前記機器本体に設けられた第２のカード装着部を覆うカバーであることを特徴とする請求項１に記載の電子機器。
【請求項３】
前記カード装着部は、前記カバーの裏側に設けられるとともに、端子が露出した状態で前記ＩＣメモリカードが装着され、前記カバーを閉めると、前記カード装着部に装着された前記ＩＣメモリカードの端子が、前記機器本体に設けられたコネクタと接触して、前記カード装着部に装着されたＩＣメモリカードにアクセス可能になることを特徴とする請求項１又は２に記載の電子機器。
【請求項４】
前記電子機器は、前記カード装着部に装着されたＩＣメモリカードにアクセスして画像データの読み出し又は書き込みを行なうデジタルカメラであることを特徴とする請求項１、２又は３に記載の電子機器。
【発明の詳細な説明】
【０００１】
【発明の属する技術分野】
本発明は電子機器に係り、特にデジタルカメラやデジタルオーディオプレーヤなどのように交換可能なＩＣメモリカードを記憶媒体として使用する携帯型の電子機器に関する。
【０００２】
【従来の技術】
一般にデジタルカメラやデジタルオーディオプレーヤなどの携帯型の電子機器の記録媒体には、駆動装置が不要なＩＣメモリカードが使用され、機器本体には、このＩＣメモリカードが装着されるカードスロットが設けられる。
【０００３】
カードスロットには、その開口部に開閉自在なカバーが設けられるが、従来のデジタルカメラには、カメラ本体の小型化を図るために、このカードスロットのカバーとバッテリ装着部のカバーを共用したものもある。すなわち、カメラ本体にカードスロットとバッテリ装着部を近接して配置し、両者を１つのカバーで覆うことにより、部品点数を削減し、カメラ本体の小型化を図っている。
【０００４】
また、特許文献１には、バッテリ装填部とカードスロットとを並列して配置し、両者を共通のカバーで覆うとともに、カバーの一部にＩＣメモリカードが挿入されるガイド孔を形成し、このガイド孔を通してＩＣメモリカードをカードスロットに挿入することにより、ＩＣメモリカードでカバーをロックするようにした電子機器が記載されている。
【０００５】
【特許文献１】
特開平７−１４５６３号公報
【０００６】
【発明が解決しようとする課題】
しかしながら、従来のようにカードスロットとバッテリ装着部を並列して配置すると、ＩＣメモリカードとバッテリとが互いに近接して配置されるため、両者共に交換作業が、きわめてやりにくくなるという欠点がある。
【０００７】
本発明はこのような事情に鑑みてなされたもので、ＩＣメモリカードの交換作業を簡単に行なうことができ、機器本体の小型化が可能な電子機器を提供することを目的とする。
【０００８】
【課題を解決するための手段】
請求項１に係る発明は、前記目的を達成するために、機器本体に設けられたカード装着部にＩＣメモリカードを装着し、該ＩＣメモリカードにアクセスしてデータの読み出し又は書き込みを行なう電子機器において、前記カード装着部が前記機器本体に開閉自在に設けられたカバーに設けられていることを特徴とする電子機器を提供する。
【０００９】
本発明によれば、機器本体に開閉自在に設けられたカバーにカード装着部を設けることにより、ＩＣメモリカードの交換作業を簡単に行なうことができる。すなわち、ＩＣメモリカードの交換は、カバーを開いた状態で行なわれるが、カバーを開くことにより、カード装着部が機器本体から離れ、簡単に交換作業を行なうことができる。また、カバーにカード装着部を設けることにより、機器本体側にカード装着部を設置する必要がなくなり、機器本体の小型化を図ることができる。
【００１０】
また、請求項２に係る発明は、前記目的を達成するために、前記カバーは、前記機器本体に設けられたバッテリ装着部、又は、前記機器本体に設けられた第２のカード装着部を覆うカバーであることを特徴とする請求項１に記載の電子機器を提供する。
【００１１】
本発明によれば、バッテリ装着部又は第２のカード装着部のカバーにカード装着部が設けられる。
【００１２】
また、請求項３に係る発明は、前記目的を達成するために、前記カード装着部は、前記カバーの裏側に設けられるとともに、端子が露出した状態で前記ＩＣメモリカードが装着され、前記カバーを閉めると、前記カード装着部に装着された前記ＩＣメモリカードの端子が、前記機器本体に設けられたコネクタと接触して、前記カード装着部に装着されたＩＣメモリカードにアクセス可能になることを特徴とする請求項１又は２に記載の電子機器を提供する。
【００１３】
本発明によれば、機器本体側にコネクタが設けられ、ＩＣメモリカードをカード装着部に装着してカバーを閉めると、そのカード装着部に装着されたＩＣメモリカードの端子が、機器本体側に設けられたコネクタと接触してアクセス可能になる。
【００１４】
また、請求項４に係る発明は、前記目的を達成するために、前記電子機器は、前記カード装着部に装着されたＩＣメモリカードにアクセスして画像データの読み出し又は書き込みを行なうデジタルカメラであることを特徴とする請求項１、２又は３に記載の電子機器を提供する。
【００１５】
本発明によれば、デジタルカメラのカメラ本体に開閉自在に設けられたカバーにカード装着部が設けられる。
【００１６】
【発明の実施の形態】
以下、添付図面に従って本発明に係る電子機器の好ましい実施の形態について詳説する。
【００１７】
図１、図２は、それぞれ本発明が適用されたデジタルカメラの一実施形態を示す正面斜視図と背面斜視図である。
【００１８】
同図に示すように、このデジタルカメラ１０のカメラ本体１２は、横長の四角い箱状に形成されている。カメラ本体１２の正面には、撮影レンズ１４、ストロボ１６、ファインダ窓１８等が設けられており、上面にはレリーズボタン２０、電源ボタン２２等が設けられている。また、カメラ本体１２の背面には、液晶モニタ２４、ファインダ接眼部２６、モード切替スイッチ２８、ズームレバー３０、マクロボタン３２、ストロボボタン３４、メニュー／ＯＫボタン３６、ＢＡＣＫボタン３８、表示ボタン４０等が設けられており、側面にはバッテリカバー４２が設けられている。
【００１９】
デジタルカメラ１０は、撮影レンズ１４で捉えた被写体の光学像をカメラ本体１２に内蔵された固体撮像素子で電気信号に変換し、これを信号処理することにより、電子画像データとしてカメラ本体１２に装着されたＩＣメモリカード４４に記録する。
【００２０】
ＩＣメモリカード４４は、図３及び図４に示すように、バッテリカバー４２の内側に設けられたカード装着部４６に装着される。
【００２１】
バッテリカバー４２は、Ｌ字状に形成されており、カメラ本体１２の側面に形成された凹部４８を開閉する。このバッテリカバー４２は、ヒンジ部４２Ａによってカメラ本体１２に揺動自在に支持されており、その先端部中央に形成された爪５０をカメラ本体１２に形成された爪穴５２に差し込むことによりロックされる。
【００２２】
なお、バッテリカバー４２は、プラスチック等の弾性変形可能な材質で成形され、バッテリカバー４２を凹部４８に押し込むようにして閉めると、爪５０の部分が弾性変形しながら爪穴５２に挿入される。また、バッテリカバー４２を開く場合は、バッテリカバー４２の先端部外壁面に形成された押圧部４２Ｂを指で押しながら開くことにより、爪５０の部分が撓み、爪５０と爪穴５２との係合が解除される。
【００２３】
また、バッテリカバー４２は、少なくとも９０度以上開くことができるように支持され、後述するＩＣメモリカード４４の交換作業が容易に行なうことができるようにされている。
【００２４】
バッテリカバー４２によって開閉される凹部４８内には、バッテリ装着部５４が設けられている。バッテリ装着部５４は、バッテリ５６の形状に対応した凹部として形成されており、その内部に図示しない電気接点が形成されている。ここでは、バッテリ５６が四角いブロック状に形成されているものとして、バッテリ装着部５４が矩形状の凹部として形成されている。このバッテリ装着部５４の深さは、バッテリ５６の長さよりも若干短く形成されており、バッテリ５６を挿入すると、そのバッテリ５６の頂部が若干突出する。そして、この突出したバッテリ５６の頂部にバッテリガイド爪５８が係合して、バッテリ５６がバッテリ装着部５４にロックされる。
【００２５】
なお、バッテリガイド爪５８は、バッテリ装着部５４の上縁部中央に上下動自在に支持されており、図示しないバネ材によって下方向に付勢されている。バッテリ５６をバッテリ装着部５４に装着する際は、バッテリガイド爪５８をバネ材の付勢力に抗して上方向に退避させた状態で挿入し、挿入後、バッテリガイド爪５８を開放すると、そのバッテリガイド爪５８がバネ材の付勢力によってバッテリ５６の頂部に係合し、バッテリ５６がロックされる。
【００２６】
カード装着部４６は、矩形状の凸部としてバッテリカバー４２の内面から突出して形成されている。ＩＣメモリカード４４は、このカード装着部４６の上面に形成されたカードスロット６０に挿入することで、カード装着部４６に装着される。この際、ＩＣメモリカード４４は、上端部がカードスロット６０から突出した状態でカード装着部４６に装着される。カード装着部４６から取り外す場合は、その突出した頂部を指で摘み、上方に引き抜く（バッテリカバー４２の揺動軸に沿って上側に引き抜く）。
【００２７】
カード装着部４６の内側には、図示しないコネクタ端子が配設されており、カードスロット６０に挿入されたＩＣメモリカード４４のカード端子は、このコネクタ端子と電気的に接続される。なお、このコネクタは、フレキシブルプリント基板６２を介してカメラ本体１２内に配設された図示しないメイン基板に接続されており、凹部４８の内壁面には、このフレキシブルプリント基板６２をカメラ本体１２内に導くためのスリット６４が形成されている。
【００２８】
また、カード装着部４６の厚さは、図４に示すように、バッテリ装着部５４にバッテリ５６を装着した状態でバッテリカバー４２を閉じたときに、バッテリ５６と抵触しない高さをもって形成されている。
【００２９】
以上のように構成された本実施の形態のデジタルカメラ１０によれば、ＩＣメモリカード４４の交換作業は次のように行なわれる。
【００３０】
まず、バッテリカバー４２を開き、カード装着部４６を露出させる。この状態でバッテリ装着部５４に装着されているＩＣメモリカード４４を引き抜く。そして、新たなＩＣメモリカード４４をカードスロット６０に差し込み、バッテリカバー４２を閉める。これにより、交換作業が完了し、カメラ本体１２側からＩＣメモリカード４４に対してデータの読み書きが可能になる。
【００３１】
このように、本実施の形態のデジタルカメラ１０によれば、ＩＣメモリカード４４のカード装着部４６がバッテリカバー４２に形成されており、バッテリカバー４２を開いた状態でＩＣメモリカード４４の交換作業が行なわれる。これにより、カメラ本体１２からカード装着部４６を離すことができ、ＩＣメモリカード４４を容易に交換することができる。
【００３２】
また、バッテリカバー４２にカード装着部４６を設けることにより、カメラ本体１２側にカード装着部４６を設ける必要がなくなり、カメラ本体１２のコンパクト化を図ることができる。
【００３３】
なお、本実施の形態のデジタルカメラ１０で使用するＩＣメモリカードとしては、スマートメディアやｘＤピクチャーカード、コンパクトフラッシュカード、メモリースティック、マルチメディアカード等の半導体メモリを用いた既存のＩＣメモリカードを使用することができる。
【００３４】
図５は、デジタルカメラのカード装着部の他の実施の形態の構成を示す斜視図である。
【００３５】
なお、このデジタルカメラで使用するＩＣメモリカード４４は、スマートメディアやｘＤピクチャーカードのように、表面（又は裏面）にカード端子４４Ａを備えたものを使用する。この種のＩＣメモリカード４４は、図６に示すように、外装体の表面にカード端子４４Ａが露出して設けられている。
【００３６】
図５に示すように、バッテリカバー４２の内側には、ＩＣメモリカード４４を保持するカード保持部７０が設けられている。
【００３７】
カード保持部７０は、Ｕ字状の凸部としてバッテリカバー４２の内面から突出して形成されており、その内周面には、ＩＣメモリカード４４が嵌合可能な溝７２が形成されている。ＩＣメモリカード４４は、このカード保持部７０の溝７２に差し込むことで、カード保持部７０に保持される。
【００３８】
この際、ＩＣメモリカード４４は、カード端子４４Ａが設けられた方の面を表側にして溝７２に差し込む。これにより、カード端子４４Ａが表側に露出した状態でカード保持部７２に保持される。
【００３９】
一方、カメラ本体１２に形成された凹部４８内には、カード保持部７０に対応してコネクタユニット７４が設けられている。このコネクタユニット７４は、矩形のブロック状に形成されており、その先端面に形成された凹部７６内には、コネクタ７８、７８、…が設けられている。
【００４０】
カード保持部７０にＩＣメモリカード４４をセットし、バッテリカバー４２を閉めると、カード保持部７０がコネクタユニット７４の凹部７６に嵌合し、カード保持部７０に保持されたＩＣメモリカード４４のカード端子４４Ａが、コネクタユニット７４のコネクタ端子７４Ａに接触する。これにより、ＩＣメモリカード４４に対してデータの読み書きが可能になる。
【００４１】
なお、ＩＣメモリカード４４を交換する場合は、バッテリカバー４２を開き、カード保持部７０を露出させて、溝７２からＩＣメモリカード４４を引き抜く。そして、新たなＩＣメモリカード４４をカード保持部７０の溝７２に差し込む。この際、ＩＣメモリカード４４は、カード端子４４Ａが設けられている方の面を表側にして溝７２に差し込みむ。これにより、バッテリカバー４２を閉めると、ＩＣメモリカード４４のカード端子４４Ａがコネクタユニット７４のコネクタ端子７４Ａに接触し、ＩＣメモリカード４４へのアクセスが可能になる。
【００４２】
本実施の形態によれば、バッテリカバー４２にカード保持部７０を設けることにより、カメラ本体１２から離れた位置でＩＣメモリカード４４の交換作業を行なうことができ、作業を簡単に行なうことができる。
【００４３】
また、本実施の形態によれば、バッテリカバー４２側には、ＩＣメモリカード４４の保持機構のみを設ければよいので、構成が簡単になる。また、カメラ本体１２側もコネクタユニット７４のみを設けらればよいので、カードスロットをカメラ本体１２側に設ける場合に比べて小型化が可能になる。
【００４４】
なお、バッテリカバー４２には、ＩＣメモリカード４４の保持機構のみを設けておけばよいので、バッテリカバー４２をカメラ本体１２から分離できるようにしてもよい。これにより、更に簡単にＩＣメモリカード４４の交換作業を行なうことができる。
【００４５】
また、本実施の形態では、本発明をデジタルカメラに適用した例で説明したが、ＩＣメモリカードを使用する電子機器であれば全てに適用することができる。たとえば、デジタルカメラのほかビデオカメラやデジタルオーディオプレイヤ、ＰＤＡ、パーソナルコンピュータ、ＩＣレコーダ、メモリカードリーダ・ライタ等の電子機器にも適用することができる。
【００４６】
さらに、本実施の形態では、バッテリ装着部５４を覆うバッテリカバー４２にＩＣメモリカード４４の装着部又は保持部を設けた例で説明したが、機器本体に設けられた開閉自在なカバーであれば、バッテリカバー以外のカバーにＩＣメモリカード４４の装着部又は保持部を設けてもよい。
【００４７】
この場合、たとえば、カメラ本体に設けられたカードスロット（第１のカード装着部）のカバーにカード装着部（第２のカード装着部）を設け、一台のカメラに２つのＩＣメモリカードを装着できるようにしてもよい。
【００４８】
【発明の効果】
以上説明したように、本発明によれば、機器本体に開閉自在に設けられたカバーにカード装着部を設けることにより、ＩＣメモリカードの交換作業を簡単に行なうことができる。また、カバーにカード装着部を設けることにより、機器本体側にカード装着部を設置する必要がなくなり、機器本体の小型化を図ることができる。
【図面の簡単な説明】
【図１】本発明が適用されたデジタルカメラの一実施形態を示す正面斜視図
【図２】本発明が適用されたデジタルカメラの一実施形態を示す背面斜視図
【図３】カード装着部の構成を示す斜視図
【図４】カード装着部の構成を示す断面図
【図５】カード装着部の他の実施の形態の構成を示す斜視図
【図６】ＩＣメモリカードの構成を示す斜視図
【符号の説明】
１０…デジタルカメラ、１２…カメラ本体、１４…撮影レンズ、２４…液晶モニタ、４２…バッテリカバー、４４…ＩＣメモリカード、４４Ａ…カード端子、４６…カード装着部、４８…凹部、５０…爪、５２…爪穴、５４…バッテリ装着部、５６…バッテリ、５８…バッテリガイド爪、６０…カードスロット、７０…カード保持部、７２…溝、７４…コネクタユニット、７４Ａ…コネクタ端子、７６…凹部
【図１】
2004297421.tif 000003
【図２】
2004297421.tif 000004
【図３】
2004297421.tif 000005
【図４】
2004297421.tif 000006
【図５】
2004297421.tif 000007
【図６】
2004297421.tif 000008